(57)【要約】【課題】固定ボルトや固定ナットで被固定物を対象物に固定した際、その固定ボルトや固定ナットを外部に露呈させることを困難にすることができる固定ボルトおよび固定ナット用防犯具の提供を課題とする。【解決手段】ナンバープレート１を固定するための固定ボルト２の頭部２ａの下端部に装着されている鍔部材１０の鍔部１１とナンバープレート１の表面との間には空隙が形成されている。冠着部材２０は、固定ボルト２の頭部２ａおよび鍔部材１０に冠着する。この冠着部材２０の側壁部２２の下端部には、鍔部１１とナンバープレート１の表面との間に挿入する鍔部材用係止爪２３が形成されている。中空円筒形の形状を有する周壁部材３０の内壁面の下端部には円状突起部が形成されている。この円状突起部が、冠着部材２０の側壁部２２を押圧し、周壁部材用係止爪２４，２５はこの円状突起部に係合する。【選択図】  図４
2007040456.tif 000002
【特許請求の範囲】
【請求項１】
固定ボルトが挿通可能な被固定物を当該固定ボルトと螺合する雌ネジ部を有する対象物
に前記固定ボルトで固定した際、前記固定ボルトの頭部の周辺方向に向かって延在する鍔
部を有し、且つ、当該鍔部と前期被固定物の表面との間に空隙が形成されるような状態で
前記固定ボルトの頭部の下端部に装着可能な鍔部材と、
天板部と該天板部の周縁部から下方に延在する複数枚の側壁部とを有し、前記鍔部材が
装着されている前記固定ボルトの頭部に冠着する冠着部材であって、前記複数枚の側壁部
の下端部には、前記固定ボルトの頭部および前記鍔部材に冠着した際、前記被固定物の表
面と前記鍔部材の鍔部との間に形成されている空隙部分に挿入可能な鍔部材用係止爪が形
成されている冠着部材と、
前記固定ボルトの頭部および前記鍔部材に冠着した前記冠着部材の外側面部を覆う中空
円筒状の周壁部材であって、該周壁部材の内周壁面の下端部には、内側方向に突設され前
記冠着部材の側壁部を押圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成されてい
ることを特徴とする固定ボルト用防犯具。
【請求項２】
前記鍔部材は、前記固定ボルトの頭部の周囲にその周辺方向に向かって延在するように
配設される鍔部と、前記固定ボルトの頭部の下端面と前記被固定物の表面とによって挾持
固定される底板部と、該底板部と前記鍔部との間に介設された立上部とによって構成され
ていることを特徴とする請求項１に記載の固定ボルト用防犯具。
【請求項３】
前記固定ボルトは、その頭部の下端面にテーパー部が形成されている固定ボルトであり
、前記鍔部材は、前記固定ボルトの頭部の最大長をＡ，最小長をＢとした場合、その外径
ａとその内径ｂとが、Ｂ＜ｂ＜Ａ＜ａという条件を満たす中空円盤状の鍔部と、当該鍔部
にその内側方向に延在するように配設され且つ前記固定ボルトの頭部の側面に当接する複
数個の係止爪とによって構成されていることを特徴とする請求項１に記載の固定ボルト用
防犯具。
【請求項４】
前記周壁部材の上部には天板部が配設されていることを特徴とする請求項１ないし請求
項３のいずれかの項に記載の固定ボルト用防犯具。
【請求項５】
対象物に固定されているボルトが挿通可能な被固定物を当該ボルトと螺合する固定ナッ
トで前記ボルトに固定した際、前記固定ナットの周辺方向に向かって延在する鍔部を有し
、且つ、当該鍔部と前記被固定物の表面との間に空隙が形成されるような状態で前記固定
ナットの下端部に装着可能な鍔部材と、
天板部と該天板部の周縁部から下方に延在する複数枚の側壁部とを有し、前記鍔部材が
装着されている前記固定ナットに冠着する冠着部材であって、前記複数枚の側壁部の下端
部には、前記固定ナットおよび前記鍔部材に冠着した際、前記被固定物の表面と前記鍔部
材の鍔部との間に形成されている空隙部分に挿入可能な鍔部材用係止爪が形成されている
冠着部材と、
前記固定ナットおよび前記鍔部材に冠着した前記冠着部材の外側面部を覆う中空円筒状
の周壁部材であって、該周壁部材の内周壁面の下端部には、内側方向に突設され前記冠着
部材の側壁部を押圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成されてい
ることを特徴とする固定ナット用防犯具。
【請求項６】
前記鍔部材は、前記固定ナットの周囲にその周辺方向に向かって延在するように配設さ
れる鍔部と、前記固定ナットの下端面と前記被固定物の表面とによって挾持固定される底
板部と、該底板部と前記鍔部との間に介設された立上部とによって構成されていることを
特徴とする請求項５に記載の固定ナット用防犯具。
【請求項７】
前記固定ナットは、その下端面にテーパー部が形成されている固定ナットであり、前記
鍔部材は、前記固定ナットの最大長をＡ，最小長をＢとした場合、その外径ａとその内径
ｂとが、Ｂ＜ｂ＜Ａ＜ａという条件を満たす中空円盤状の鍔部と、当該鍔部にその内側方
向に延在するように配設され且つ前記固定ナットの側面に当接する複数個の係止爪とによ
って構成されていることを特徴とする請求項５に記載の固定ナット用防犯具。
【請求項８】
前記周壁部材の上部には天板部が配設されていることを特徴とする請求項５ないし請求
項７のいずれかの項に記載の固定ナット用防犯具。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
例えば、図２３に示したように、従来からナンバープレート１は固定ボルト２によって
自動車等の車体Ｍに固定されている。
【０００４】
近年、駐車中の自動車等の車体Ｍからナンバープレート１のみを盗むという犯罪が増加
している。この犯罪を行なう者は、一般に市販されているドライバ等の器具を用いて、固
定ボルト２を外し短時間のうちにナンバープレート１のみを盗んでいく。
【０００５】
このような犯罪を防ぐために、図２４に示したような特殊な形状の凹部１０３が形成さ
れている固定ボルト２が既に提案されている。図２４に示した固定ボルト２は、凹部１０
３に嵌合する凸部１０４を有する専用の器具１０５を用いた場合のみ容易に車体Ｍから外
せるように構成されている。
【発明の開示】
【発明が解決しようとする課題】
【０００６】
しかしながら、図２４に示した固定ボルト２を用いてナンバープレート１を車体Ｍに固
定した場合でも、固定ボルト２の頭部が露出した状態となっているので、ペンチやプライ
ヤー等の一般に市販されている工具を用いてボルト２を緩め、犯罪者がナンバープレート
１を比較的短時間で盗むことは可能であった。
【課題を解決するための手段】
【０００７】
以上の問題を解決するために本発明は、固定ボルトが挿通可能な被固定物を当該固定ボ
ルトと螺合する雌ネジ部を有する対象物に前記固定ボルトで固定した際、前記固定ボルト
の頭部の周辺方向に向かって延在する鍔部を有し、且つ、当該鍔部と前期被固定物の表面
との間に空隙が形成されるような状態で前記固定ボルトの頭部の下端部に装着可能な鍔部
材と、天板部と該天板部の周縁部から下方に延在する複数枚の側壁部とを有し、前記鍔部
材が装着されている前記固定ボルトの頭部に冠着する冠着部材であって、前記複数枚の側
壁部の下端部には、前記固定ボルトの頭部および前記鍔部材に冠着した際、前記被固定物
の表面と前記鍔部材の鍔部との間に形成されている空隙部分に挿入可能な鍔部材用係止爪
が形成されている冠着部材と、前記固定ボルトの頭部および前記鍔部材に冠着した前記冠
着部材の外側面部を覆う中空円筒状の周壁部材であって、該周壁部材の内周壁面の下端部
には、内側方向に突設され前記冠着部材の側壁部を押圧する円状突起部が形成されている
周壁部材とから構成され、前記冠着部材には、前記周壁部材の前記円状突起部の上面部分
に係合する周壁部材用係止爪であって、前記天板部の周縁部から下方に延在する周壁部材
用係止爪が形成されていることを特徴とするものである。
【０００８】
ここで、前記鍔部材は、前記固定ボルトの頭部の周囲にその周辺方向に向かって延在す
るように配設される鍔部と、前記固定ボルトの頭部の下端面と前記被固定物の表面とによ
って挾持固定される底板部と、該底板部と前記鍔部との間に介設された立上部とによって
構成されていてもよい。また、前記固定ボルトは、その頭部の下端面にテーパー部が形成
されている固定ボルトであり、前記鍔部材は、前記固定ボルトの頭部の最大長をＡ，最小
長をＢとした場合、その外径ａとその内径ｂとが、Ｂ＜ｂ＜Ａ＜ａという条件を満たす中
空円盤状の鍔部と、当該鍔部にその内側方向に延在するように配設され且つ前記固定ボル
トの頭部の側面に当接する複数個の係止爪とによって構成されていてもよい。
【０００９】
さらに、前記周壁部材の上部には天板部が配設されていてもよい。
【００１０】
また、先の問題を解決するために本発明は、対象物に固定されているボルトが挿通可能
な被固定物を当該ボルトと螺合する固定ナットで前記ボルトに固定した際、前記固定ナッ
トの周辺方向に向かって延在する鍔部を有し、且つ、当該鍔部と前記被固定物の表面との
間に空隙が形成されるような状態で前記固定ナットの下端部に装着可能な鍔部材と、天板
部と該天板部の周縁部から下方に延在する複数枚の側壁部とを有し、前記鍔部材が装着さ
れている前記固定ナットに冠着する冠着部材であって、前記複数枚の側壁部の下端部には
、前記固定ナットおよび前記鍔部材に冠着した際、前記被固定物の表面と前記鍔部材の鍔
部との間に形成されている空隙部分に挿入可能な鍔部材用係止爪が形成されている冠着部
材と、前記固定ナットおよび前記鍔部材に冠着した前記冠着部材の外側面部を覆う中空円
筒状の周壁部材であって、該周壁部材の内周壁面の下端部には、内側方向に突設され前記
冠着部材の側壁部を押圧する円状突起部が形成されている周壁部材とから構成され、前記
冠着部材には、前記周壁部材の前記円状突起部の上面部分に係合する周壁部材用係止爪で
あって、前記天板部の周縁部から下方に延在する周壁部材用係止爪が形成されていること
を特徴とするものである。
【００１１】
ここで、前記鍔部材は、前記固定ナットの周囲にその周辺方向に向かって延在するよう
に配設される鍔部と、前記固定ナットの下端面と前記被固定物の表面とによって挾持固定
される底板部と、該底板部と前記鍔部との間に介設された立上部とによって構成されてい
てもよい。また、前記固定ナットは、その下端面にテーパー部が形成されている固定ナッ
トであり、前記鍔部材は、前記固定ナットの最大長をＡ，最小長をＢとした場合、その外
径ａとその内径ｂとが、Ｂ＜ｂ＜Ａ＜ａという条件を満たす中空円盤状の鍔部と、当該鍔
部にその内側方向に延在するように配設され且つ前記固定ナットの側面に当接する複数個
の係止爪とによって構成されていてもよい。
【００１２】
さらに、前記周壁部材の上部には天板部が配設されていてもよい。
【発明の効果】
【００１３】
本発明によれば、固定ボルトを用いてこれと螺合する対象物に被固定物を固定した場合
や、固定ナットを用いて対象物に固定されているボルトに被固定物を固定した場合に、固
定ボルトや固定ナットを緩める際に使用される固定ボルトの頭部や固定ナットを外部に露
呈させることを著しく困難にすることができて、被固定物を盗むことを困難にすることが
できる。
【発明を実施するための最良の形態】
【００１４】
以下、図面を用いて本発明の実施例を説明する。
【実施例１】
【００１５】
図１は本発明の実施例１が装着されている被固定物であるナンバープレートを示した斜
視図であり、図２はその分解斜視図である。
【００１６】
図１および図２において、１は、対象物である車体Ｍに装着される被固定物であるナン
バープレートである。１０は、固定ボルト２の頭部の下端部に装着される鍔部材である。
この鍔部材１０は、固定ボルト２の頭部の周囲にその周辺方向に向かって延在するように
配設される鍔部１１と、固定ボルト２の頭部の下端面とナンバープレート１の表面とによ
って挾持固定される底板部１２と、ナンバープレート１の表面と鍔部１１との間に空隙が
形成されるように底板部１２と鍔部１１との間に介設されている立上部１３とによって構
成されている。  ２０は固定ボルト２の頭部に冠着する冠着部材であり、３０は冠着部材
２０の外側面を覆う周壁部材である。本実施例１においては、冠着部材２０は金属によっ
て構成し、周壁部材３０も金属によって構成してあるが、この冠着部材２０を構成する材
料や周壁部材３０を構成する材料は、以上の材料に限定されるものではない。
【００１７】
ここで図３，図４を用いて冠着部材２０および周壁部材３０の構成を説明する。図３は
冠着部材２０および周壁部材３０の構成を示す分解斜視図であり、図４は固定ボルト２の
頭部２ａに装着された状態での冠着部材２０および周壁部材３０の断面図である。
【００１８】
先ず、金属製の冠着部材２０の構成について説明する。
【００１９】
冠着部材２０は、天板部２１とこの天板部２１の周縁部から下方（天板部２１から視て
ボルト２の方向）に延在する複数枚の側壁部２２および周壁部材用係止爪２４，２５によ
って構成されている。
【００２０】
側壁部２２の下端部には、図４に示したように、鍔部材１０の鍔部１１とナンバープレ
ート１の表面との間に形成される空隙Ｓに挿入され、鍔部１１の下端面に当接する鍔部材
用係止爪２３が形成されている。
【００２１】
この金属製の弾性を有する冠着部材２０は、固定ボルト２の頭部２ａおよび鍔部材１０
容易に被せることができるようにその側壁部２２および周壁部材用係止爪２４，２５が若
干開いた状態に形成されている。
【００２２】
周壁部材３０の内周壁面の下端部には、図４に示したように、その全周に亘って内側方
向に突設された円状突起部３１が形成されている。この周壁部材３０の円状突起部３１に
押圧されることにより、冠着部材２０の鍔部材用係止爪２３は、鍔部１１の下端面に当接
した状態を維持することができる。
【００２３】
ここで、図３に示したように、弾性を有する金属製の冠着部材２０に配設されている周
壁部材用係止爪２４，２５は、その下端部が、図５に示すように、周壁部材３０の円状突
起部３１の上面部分に当接するように形成されている。図５に示したように、この周壁部
材用係止爪２４，２５は円状突起部３１の上面に略直角な状態で当接するように形成され
ているので、冠着部材２０に装着されている周壁部材３０を容易に外すことはできない。
【００２４】
以上説明したように、本実施例によれば、鍔部材１０が装着された固定ボルト２の頭部
２ａに冠着部材２０および周壁部材３０が装着された図４に示した状態においては、固定
ボルト２の頭部２ａを外部に露呈することは著しく困難となる。
【００２５】
以上のように構成された本実施例１においては、自動車の修理等でナンバープレートを
外す必要が生じたときには、図６に示すような専用の係止解除具６０を用いることにより
、周壁部材３０と冠着部材２０とを容易に外すことができる。
【００２６】
この係止解除具６０は、図７（ａ）ないし（ｃ）に示したように中空円筒形の形状を有
する部材である。係止解除具６０の外径は、図７（ａ），（ｂ）に示すように周壁部材３
０の内側に嵌入可能な値に選ばれている。また、係止解除具６０の内径は、周壁部材３０
の円状突起部３１の上面部分の内径以下となるように選ばれている。
【００２７】
このような係止解除具６０を、図７（ａ）に示すように周壁部材３０に嵌入させて、そ
の先端部を図７（ｂ）に示したように円状突起部３１の上面部分に当接させると、冠着部
材２０の周壁部材用係止爪２４，２５と円状突起部３１の係合状態を解除させることがで
きる。従って図７（ｃ）に示したように、係止解除部材６０と共に周壁部材３０をボルト
頭部から離すことができる。
【００２８】
図７（ｃ）のように冠着部材２０を完全に露出させれば、この冠着部材２０はボルトの
頭部から容易に外すことができる。従ってボルトの頭部を容易に露出させることができて
ナンバープレートを容易に外すことができる。
【００２９】
ここで、図８に示したように周壁部材３０の内周壁面の上部側に突起部３２，３３を設
け、この突起部３２，３３の位置と対応するように係止解除部材６０の外周壁面に溝部６
１，６２を設けて、この溝部６１，６２がそれぞれ突起部３２，３３と合致した場合のみ
、係止解除部材６０が周壁部材３０に嵌入することができるように構成してもよい。
【００３０】
以上説明したように本実施例１は、対象物である車体Ｍに被固定物であるナンバープレ
ート１を固定ボルト２で固定するような場合に防犯機能を発揮する。しかしながら、本実
施例１の防犯効果は、このような対象物に被固定物を固定する固定ボルトに限定されるも
のではない。例えば、図９に示したように、コンクリートの床Ｆに埋設固定されているボ
ルト３に、自動販売機や変圧器等の被固定物５を固定ナット４によって固定する場合にも
、本実施例１を使用すれば、この固定ナットに対する防犯効果を得ることができる。図９
において４ｂはワッシャーである。
【００３１】
以下、図面を用いて、本実施例１を固定ナットに対する防犯具として使用する場合につ
いて説明する。
【００３２】
図１０は本実施例１を固定ナットの防犯具として用いた場合の構成を示す斜視図であり
、図１１はその分解斜視図である。
【００３３】
図１０および図１１において、Ｆはコンクリート等で形成された床であり、３はこの床
Ｆにその一部が埋設固定されているボルトである。５は、ボルト３と固定ナット４とによ
って対象物である床Ｆに固定される自動販売機や変圧器等の被固定物である。１０は、固
定ナット４の下端部に装着される鍔部材である。
【００３４】
鍔部材１０、冠着部材２０、周壁部材３０の構成は、先に図３を用いて説明した構成と
同一の構成であるのでその説明は省略する。すなわち、先に説明した固定ボルト２の頭部
２ａを固定ナット４と見做せば本実施例１を固定ナット用防犯具として使用することがで
きる。
【００３５】
このように本実施例１を固定ナット用防犯具として使用する場合には、図１１に示した
ように、被固定物５を挿通しているボルト３に鍔部材１０を挿通させた後、固定ナット４
を締めて被固定物５を対象物である床Ｆに固定する。このような状態で、固定ナット４お
よび鍔部材１０に冠着部材２０を被せた後に周壁部材３０を装着して図１０に示した状態
にする。この図１０に示した状態の断面図を図１２に示す。
【００３６】
図１０および図１２に示したように冠着部材２０を被せて周壁部材３０を装着した状態
において、この冠着部材２０と周壁部材３０とは、図４に示されている状態と同様の状態
となる。即ち、固定ナット４に冠着部材２０および周壁部材３０が装着された図１０およ
び図１２に示した状態においては、固定ナット４を外部に露呈することは著しく困難とな
る。
【００３７】
ここで、以上説明した実施例１においては、図１３に示すように、周壁部材３０の上部
に天板部３２を設けて、周壁部材３０をキャップ状に構成してもよい。このようなキャッ
プ状の周壁部材３０と冠着部材２０とを、例えば図１４に示したように固定ナット４に装
着した場合には、キャップ状に構成された周壁部材３０を壊さなければ、固定ナット４を
外部に露出させることができない構成となる。
【実施例２】
【００３８】
本発明の実施例２は、図１５に示したように固定ボルト２の頭部２ａの下端面にテーパ
ー部２ｔが形成されており、図１６に示したように、固定ボルト２で被固定物５を対象物
である床Ｆに固定した際、テーパー部２ｔの一部が被固定物５の中に埋没状態になってし
まう固定ボルト２に対して使用することができる固定ボルト用防犯具である。
【００３９】
図１７は本実施例２の構成を示す分解斜視図である。図１７において、周壁部材３０お
よび冠着部材２０の構成は先に説明した実施例１と同一の構成であるのでその説明は省略
する。２は固定ボルトであり、その頭部２ａの下端面にはテーパー部２ｔが頭部２ａと一
体的に形成されている。１０は固定ボルト２の頭部２ａの下端部に装着される鍔部材であ
る。Ｆは固定ボルト２と螺合可能な対象物である床、５は床Ｆに固定ボルトによって固定
される被固定物である。
【００４０】
図１８は、頭部２ａの下端部に鍔部材１０が装着された固定ボルトによって被固定物５
を床Ｆに固定した状態を示す斜視図であり、図１９はこの状態での固定ボルトの頭部２ａ
と鍔部材１０とを示す平面図である。
【００４１】
本実施例２における鍔部材１０は、図１９に示すように、固定ボルトの頭部２ａの最大
長をＡ，最小長をＢとした場合、その外径ａと内径ｂとがＢ＜ｂ＜Ａ＜ａとなるように選
ばれている中空円盤状の鍔部１５と、この鍔部１５の内側方向に延在するように当該鍔部
１５に配設され、固定ボルトの頭部２ａの側面に当接する複数個の係止爪１６とによって
構成されている。
【００４２】
このように構成されている鍔部材１０を、固定ボルト２の頭部２ａの下端部に形成され
ているテーパー部２ｔに装着しておけば、固定ボルト２によって被固定物５を対象物であ
る床Ｆに固定した際、冠着部材２０の鍔用係止爪２３が挿入可能となる空隙Ｓを鍔部１５
と被固定物５の表面との間に形成することができる。
【００４３】
従って図１８に示した状態で、固定ボルトの頭部２ａおよび鍔部材１０に冠着部材２０
を被せた後に、周壁部材３０を装着することにより、本実施例２を図２０に示した装着状
態にすることができる。
【００４４】
図２０に示した装着状態となっている周壁部材３０は、図４を用いて説明した実施例１
の装着状態と同様の状態となっているので容易に外すことができない。このような装着状
態となっている周壁部材３０および冠着部材２０を外して固定ボルトの頭部２ａを外部に
露出させる場合には、先に図６，図７を用いて説明した係止解除部材６０を用いればよい
。
【００４５】
なお、本実施例２においても、周壁部材３０は、図１３，図１４に示したような天板部
３２を有するキャップ状の構成とすることもできる。
【００４６】
さらに、固定ボルト２のテーパー部２ｔを有する頭部２ａを、図２１に示したような下
端面にテーパー部４ｔが形成されている固定ナット４と見做すことにより、本実施例２を
固定ナット用防犯具として使用することができる。このように固定ナット用防犯具として
固定ナット４に装着された本実施例２の断面図を図２２に示す。図２２において、３は、
被固定物５を固定する床（対象物）Ｆに埋没固定されているボルトであり、４は、テーパ
ー部４ｔを有する固定用ナットである。その他の構成は、図１７〜図２０を用いて先に説
明した構成と同様の構成であるのでその説明は省略する。
【図面の簡単な説明】
【００４７】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の構成の説明図である。
【図６】本発明の実施例１の構成の説明図である。
【図７】本発明の実施例１の構成の説明図である。
【図８】本発明の実施例１の構成の説明図である。
【図９】本発明の実施例１の構成の説明図である。
【図１０】本発明の実施例１の構成の説明図である。
【図１１】本発明の実施例１の構成の説明図である。
【図１２】本発明の実施例１の構成の説明図である。
【図１３】本発明の実施例１の構成の説明図である。
【図１４】本発明の実施例１の構成の説明図である。
【図１５】本発明の実施例２の説明図である。
【図１６】本発明の実施例２の説明図である。
【図１７】本発明の実施例２の構成を示す分解斜視図である。
【図１８】本発明の実施例２の構成を示す分解斜視図である。
【図１９】本発明の実施例２の構成の説明図である。
【図２０】本発明の実施例２の構成を示す断面図である。
【図２１】本発明の実施例２の構成の説明図である。
【図２２】本発明の実施例２の構成の説明図である。
【図２３】従来の車体に装着されているナンバープレートの斜視図である。
【図２４】従来の車体に装着されているナンバープレートの斜視図である。
【符号の説明】
【００４８】
１  ナンバープレート
２  固定ボルト
２ａ  頭部
２ｔ，４ｔ  テーパー部
３  ボルト
４  固定ナット
４ｂ  ワッシャー
５  被固定物
１０  鍔部材
１１，１５  鍔部
１２  底板部
１３  立上部
１６  係止爪
２０  冠着部材
２１  天板部
２２  側壁部
２３  鍔部材用係止爪
２４，２５  周壁部材用係止爪
３０  周壁部材
３１  円状突起部
３２，３３  突起部
６０  係止解除部材
６１，６２  溝部
Ｆ  床
Ｍ  車体
Ｓ  空隙
【図１】
2007040456.tif 000003
【図２】
2007040456.tif 000004
【図３】
2007040456.tif 000005
【図４】
2007040456.tif 000006
【図５】
2007040456.tif 000007
【図６】
2007040456.tif 000008
【図７】
2007040456.tif 000009
【図８】
2007040456.tif 000010
【図９】
2007040456.tif 000011
【図１０】
2007040456.tif 000012
【図１１】
2007040456.tif 000013
【図１２】
2007040456.tif 000014
【図１３】
2007040456.tif 000015
【図１４】
2007040456.tif 000016
【図１５】
2007040456.tif 000017
【図１６】
2007040456.tif 000018
【図１７】
2007040456.tif 000019
【図１８】
2007040456.tif 000020
【図１９】
2007040456.tif 000021
【図２０】
2007040456.tif 000022
【図２１】
2007040456.tif 000023
【図２２】
2007040456.tif 000024
【図２３】
2007040456.tif 000025
【図２４】
2007040456.tif 000026